(57)【要約】【課題】ウェーブレット変換による映像圧縮方法において、計算量・時間、回路サイズ、メモリ上のデータ量やデータ交換等の低減を可能にする。【解決手段】映像データＩＤを、行・列いずれかの方向に基準ウェーブレット変換回数だけウェーブレット変換し、第１低周波ウェーブレット変換データＬ３と、第１高周波ウェーブレット変換データＨ１−Ｈ３とを出力（Ｓ１０）。前者Ｌ３と最後の第１高周波ウェーブレット変換データＨ３とをメモリに格納（Ｓ２０）。これらデータＬ３，Ｈ３について上記と異なる方向に基準ウェーブレット変換回数だけウェーブレット変換し、第２低周波ウェーブレット変換データＬＬ３と、第２高周波ウェーブレット変換データＨＨ１，ＨＨ２，…とを出力（Ｓ３０）。これらＬＬ３，ＨＨ１，ＨＨ２，…と、最後のもの以外の第１高周波ウェーブレット変換データＨ１，Ｈ２とについて量子化し圧縮して出力（Ｓ４０−５０）。【選択図】図４
2004215221.tif 000002
【特許請求の範囲】
【請求項１】
映像データを受信し、前記映像データを少なくとも１回以上ウェーブレット変換して映像データを圧縮し、圧縮されたデータを出力する映像圧縮方法において、
前記映像データの行方向または列方向のいずれか一方向に使用者によって定められた基準ウェーブレット変換回数だけ前記映像データをウェーブレット変換し、低周波帯域である一つの第１低周波ウェーブレット変換データと高周波帯域である少なくとも一つ以上の第１高周波ウェーブレット変換データとを出力する第１ウェーブレット変換段階と、
前記第１ウェーブレット変換段階で出力された第１低周波ウェーブレット変換データと前記第１高周波ウェーブレット変換データのうちの最後の高周波ウェーブレット変換データとをメモリに格納する格納段階と、
前記格納段階でメモリに格納された第１低周波ウェーブレット変換データと最後の高周波ウェーブレット変換データとについて前記第１ウェーブレット変換段階で行った方向と異なる方向に基準ウェーブレット変換回数だけウェーブレット変換し、低周波帯域である一つの第２低周波ウェーブレット変換データと高周波帯域である多数の第２高周波ウェーブレット変換データとを出力する第２ウェーブレット変換段階と、
前記第１ウェーブレット変換段階での最後の高周波ウェーブレット変換データを除いた第１高周波ウェーブレット変換データと、前記第２ウェーブレット変換段階で出力される第２低周波ウェーブレット変換データと第２高周波ウェーブレット変換データとについての量子化データを出力する量子化段階と、
前記量子化段階の出力である量子化データを受信し、ハフマンコーディングまたは算術コーディング方法によって圧縮されたデータを出力するエントロピーエンコーディング段階と
を備えたことを特徴とする映像圧縮方法。
【請求項２】
前記基準ウェーブレット変換回数は２回〜３回であることを特徴とする請求項１に記載の映像圧縮方法。
【発明の詳細な説明】
【０００１】
【発明の属する技術分野】
本発明は映像圧縮方法に関し、特に、改善されたウェーブレット変換（Ｗａｖｅｌｅｔ  Ｔｒａｎｓｆｏｒｍ）を使用して映像データを圧縮させる映像圧縮方法に関する。
【０００２】
【従来の技術】
デジタル映像データを圧縮する目的は伝送のために入力された映像のビットレート（Ｂｉｔ  Ｒａｔｅ）を減らしたり映像データに対する格納部の効率を高めることである。
【０００３】
映像データを圧縮するための方式としてはブロックＤＣＴ（ＤｉｓｃｒｅｔｅＣｏｓｉｎｅ  Ｔｒａｎｓｆｏｒｍ）コーディング方式とウェーブレット変換（Ｗａｖｅｌｅｔ  Ｔｒａｎｓｆｏｒｍ）を利用したコーディング方式とがある。
【０００４】
図１は一般的なウェーブレット変換を利用した映像圧縮装置の構成図である。図１のウェーブレット変換を利用した映像圧縮装置は、デジタル映像データＩＤを受信しこれをウェーブレット変換するウェーブレット変換部（ｗａｖｅｌｅｔ  ｔｒａｎｓｆｏｒｍｅｒ）１と、ウェーブレット変換部１からのウェーブレット変換結果を格納したり格納されたウェーブレット変換結果をウェーブレット変換部１へ出力するメモリ（ｍｅｍｏｒｙ）２と、ウェーブレット変換されたデータを量子化し量子化データを出力する量子化部（ｑｕａｎｔｉｚｅｒ）３と、量子化係数データをハフマン（Ｈｕｆｆｍａｎ）コーディングまたは算術コーディング方法を使用して圧縮されたデータＣＤを出力するエントロピーエンコーダ（ｅｎｔｒｏｐｙ  ｅｎｃｏｄｅｒ）４とから構成される。
【０００５】
図２は従来のウェーブレット変換を利用した映像圧縮方法のフローチャートである。図２の従来のウェーブレット変換を利用した映像圧縮方法は、受信された映像データの行方向についてウェーブレット変換を遂行し、高周波帯域Ｈ１及び低周波帯域Ｌ１の行方向ウェーブレット変換データを出力する行方向ウェーブレット変換段階（ｒｏｗ  ｄｉｒｅｃｔｉｏｎ  ｗａｖｅｌｅｔ  ｔｒａｎｓｆｏｒｍ  ｐｒｏｃｅｓｓ）（Ｓ１）と、行方向ウェーブレット変換段階（Ｓ１）の出力である高周波帯域Ｈ１及び低周波帯域Ｌ１の行方向ウェーブレット変換データをメモリに格納する第１格納段階（ｆｉｒｓｔ  ｓｔｏｒａｇｅ  ｐｒｏｃｅｓｓ）（Ｓ２）と、第１格納段階（Ｓ２）で格納された高周波帯域Ｈ１及び低周波帯域Ｌ１の行方向ウェーブレット変換データを受信し、映像データの列方向についてウェーブレット変換を遂行して高周波帯域の対角線エッジ（ｅｄｇｅ）成分を示す第１ウェーブレット映像データＨＨｎ、高周波帯域の水平信号エッジ成分を示す第２ウェーブレット映像データＬＨｎ、高周波帯域の垂直信号エッジ成分を示す第３ウェーブレット映像データＨＬｎ及びエッジ成分のない低周波帯域を示す第４ウェーブレット映像データＬＬｎを出力する列方向ウェーブレット変換段階（ｃｏｌｕｍｎ  ｄｉｒｅｃｔｉｏｎ  ｗａｖｅｌｅｔ  ｔｒａｎｓｆｏｒｍ  ｐｒｏｃｅｓｓ）（Ｓ３）と、列方向ウェーブレット変換段階（Ｓ３）の出力である第４ウェーブレット映像データＬＬｎをメモリに格納する第２格納段階（ｓｅｃｅｏｎｄ  ｓｔｏｒａｇｅ  ｐｒｏｃｅｓｓ）（Ｓ４）と、映像データの行方向及び列方向に対するウェーブレット変換回数と使用者によって定められた基準ウェーブレット変換回数とを比較し、これらの回数が同一になるまで第２格納段階（Ｓ４）に格納された第４ウェーブレット映像データＬＬｎについて行方向及び列方向ウェーブレット変換段階を遂行するようにするステップ比較段階（ｓｔｅｐ  ｃｏｍｐａｒｉｓｏｎ  ｐｒｏｃｅｓｓ）（Ｓ５）と、ステップ比較段階（Ｓ５）で映像データの行方向及び列方向に対するウェーブレット変換回数と基準ウェーブレット変換回数とが同一であれば、第１ウェーブレット映像データＨＨｎ、第２ウェーブレット映像データＬＨｎ、第３ウェーブレット映像データＨＬｎ及び第４ウェーブレット映像データＬＬｎについての量子化データを出力する量子化段階（ｑｕａｎｔｉｚａｔｉｏｎ  ｐｒｏｃｅｓｓ）（Ｓ６）と、量子化段階（Ｓ６）の出力である量子化データを受信し、ハフマンコーディングまたは算術コーディング方法によって圧縮されたデータを出力するエントロピーエンコーディング段階（ｅｎｔｒｏｐｙｅｎｃｏｄｉｎｇ  ｐｒｏｃｅｓｓ）（Ｓ７）とから構成される。
【０００６】
上記した従来のウェーブレット変換を利用した映像圧縮方法の動作は次の通りである。基準ウェーブレット変換回数が３であるとすれば、行方向ウェーブレット変換段階（Ｓ１）は、図３（ａ）の入力された映像データについて、行方向についてウェーブレット変換を遂行し、図３（ｂ）に示されているように、高周波帯域の行方向ウェーブレット変換データＨ１と低周波帯域の行方向ウェーブレット変換データＬ１とに分割して出力する。列方向ウェーブレット変換段階（Ｓ３）を遂行するために高周波帯域の行方向ウェーブレット変換データＨ１と低周波帯域の行方向ウェーブレット変換データＬ１とをメモリに格納し、メモリに格納された高周波帯域の行方向ウェーブレット変換データＨ１と低周波帯域の行方向ウェーブレット変換データＬ１とを読み出して再び映像データの列方向についてウェーブレット変換を遂行し、図３（ｃ）に示されているように、入力された映像データを第１段階（ｎ＝１）の第１ウェーブレット映像データＨＨ１、第２ウェーブレット映像データＬＨ１、第３ウェーブレット映像データＨＬ１及び第４ウェーブレット映像データＬＬ１に分割する。ステップ比較段階（Ｓ５）で基準ウェーブレット変換回数が３であるので、図３（ｄ）に示されているように、第２格納段階（Ｓ４）で第１段階の第４ウェーブレット映像データＬＬ１をメモリに格納し、メモリに格納された第１段階の第４ウェーブレット映像データＬＬ１を読み出して再び行方向ウェーブレット変換段階（Ｓ１）、第１格納段階（Ｓ２）、列方向ウェーブレット変換段階（Ｓ３）及び第２格納段階（Ｓ４）を遂行し、再び第２段階（ｎ＝２）の第１ウェーブレット映像データＨＨ２、第２ウェーブレット映像データＬＨ２、第３ウェーブレット映像データＨＬ２及び第４ウェーブレット映像データＬＬ２に分割する。再び前記の過程によって第２段階の第４ウェーブレット映像データＬＬ２について行方向ウェーブレット変換段階（Ｓ１）、第１格納段階（Ｓ２）及び列方向ウェーブレット変換段階（Ｓ３）を遂行し、第３段階（ｎ＝３）の第１ウェーブレット映像データＨＨ３、第２ウェーブレット映像データＬＨ３、第３ウェーブレット映像データＨＬ３及び第４ウェーブレット映像データＬＬ３に分割する。量子化段階（Ｓ４）は第１段階から第３段階まで分割された全てのウェーブレット映像データＨＨｎ、ＬＨｎ、ＨＬｎ、ＬＬ３についての各々の量子化データを出力し、エントロピーエンコーディング段階（Ｓ５）は量子化データを受信してハフマンコーディングまたは算術コーディング方法によって圧縮されたデータを出力する。
【０００７】
【発明が解決しようとする課題】
上記した従来の映像圧縮方法であると、１段階のウェーブレット変換を遂行するためには、入力された映像データについて、必ず行方向と列方向について順次にウェーブレット変換をしなければならず、列方向ウェーブレット変換のため、以前に遂行された高周波帯域及び低周波帯域の行方向ウェーブレット変換データ全てをメモリに格納し、格納された行方向ウェーブレット変換データを読み出さなければならず、高周波帯域及び低周波帯域の行方向ウェーブレット変換データをもって列方向ウェーブレット変換を遂行するので、列方向ウェーブレット変換時にウェーブレット演算に必要な計算量が多くてウェーブレット変換時に多大な時間がかかり、メモリには以前に遂行された高周波帯域及び低周波帯域の行方向ウェーブレットデータを全て格納しなければならないので、メモリに格納されるデータの量が大きくなるという問題点を有している。
【０００８】
また、従来の映像圧縮方法は、映像データに対するウェーブレット変換時に行と列方向に交互にウェーブレット変換を遂行しなければならず、このために行と列を変えてウェーブレット変換をする度にウェーブレット変換データをメモリに格納し読み出さなければならないので、メモリとの頻繁なデータ交換が行われて電力消耗が大きいという問題点を有しており、特にウェーブレット変換回数が大きいほどメモリとのデータ交換回数も大きくなるという問題点を有している。
【０００９】
本発明の目的は、基準ウェーブレット変換回数だけ行方向または列方向のいずれか一方向についてウェーブレット変換を遂行した後、ウェーブレット変換データのうちの第１低周波ウェーブレット変換データと最後の第１高周波ウェーブレット変換データのみをメモリに格納し、メモリに格納されたウェーブレット変換データに対して他の一方向について基準ウェーブレット変換回数だけウェーブレット変換を遂行することによって、ウェーブレット変換時にウェーブレット演算に必要な計算量が少なくて短時間内にウェーブレット変換を遂行することができ、ウェーブレット変換のための回路のサイズを小さくすることができ、メモリに格納されるデータの量を小さくすることができ、メモリとのデータ交換を減らすことができて電力消耗を減少させることができるウェーブレット変換を利用した映像圧縮方法（ｉｍａｇｅ  ｃｏｍｐｒｅｓｓｉｏｎ  ｍｅｔｈｏｄ  ｕｓｉｎｇ  ｗａｖｅｌｅｔ  ｔｒａｎｓｆｏｒｍ）を提供することにある。
【００１０】
【課題を解決するための手段】
上記目的を達成するための本発明のウェーブレット変換を利用した映像圧縮方法は、映像データの行方向または列方向のいずれか一方向に使用者によって定められた基準ウェーブレット変換回数だけ映像データをウェーブレット変換し、低周波帯域である一つの第１低周波ウェーブレット変換データと高周波帯域である少なくとも一つ以上の第１高周波ウェーブレット変換データとを出力する第１ウェーブレット変換段階（ｆｉｒｓｔ  ｗａｖｅｌｅｔ  ｔｒａｎｓｆｏｒｍ  ｐｒｏｃｅｓｓ）と、第１ウェーブレット変換段階で出力された第１低周波ウェーブレット変換データと第１高周波ウェーブレット変換データのうち、ウェーブレット変換時に出力された最後の高周波ウェーブレット変換データとをメモリに格納する格納段階（ｓｔｏｒａｇｅ  ｐｒｏｃｅｓｓ）と、格納段階でメモリに格納された第１低周波ウェーブレット変換データと最後の第１高周波ウェーブレット変換データとについて第１ウェーブレット変換段階で行った方向と異なる方向に基準ウェーブレット変換回数だけウェーブレット変換し、低周波帯域である一つの第２低周波ウェーブレット変換データと高周波帯域である多数の第２高周波ウェーブレット変換データとを出力する第２ウェーブレット変換段階（ｓｅｃｏｎｄ  ｗａｖｅｌｅｔ  ｔｒａｎｓｆｏｒｍ  ｐｒｏｃｅｓｓ）と、第１ウェーブレット変換段階での最後の第１高周波ウェーブレット変換データを除いた第１高周波ウェーブレット変換データと、第２ウェーブレット変換段階で出力される、第２低周波ウェーブレット変換データと第２高周波ウェーブレット変換データとについての量子化データを出力する量子化段階（ｑｕａｎｔｉｚａｔｉｏｎ  ｐｒｏｃｅｓｓ）と、量子化段階の出力である量子化データを受信し、ハフマンコーディングまたは算術コーディング方法によって圧縮されたデータを出力するエントロピーエンコーディング段階（ｅｎｔｒｏｐｙ  ｅｎｃｏｄｉｎｇ  ｐｒｏｃｅｓｓ）とを備えたことを特徴とする。
【００１１】
【発明の実施の形態】
以下、添付した図面を参照して本発明のウェーブレット変換を利用した映像圧縮方法を詳細に説明する。
【００１２】
図４は本発明のウェーブレット変換を利用した映像圧縮方法のフローチャートである。図４の本発明の映像圧縮方法は、映像データＩＤの行方向または列方向のいずれか一方向に使用者によって定められた基準ウェーブレット変換回数だけ映像データをウェーブレット変換し、低周波帯域である一つの第１低周波ウェーブレット変換データＬ３と高周波帯域である少なくとも一つ以上の第１高周波ウェーブレット変換データＨ１、Ｈ２、Ｈ３とを出力する第１ウェーブレット変換段階（Ｓ１０）と、第１ウェーブレット変換段階（Ｓ１０）で出力された第１低周波ウェーブレット変換データＬ３と第１高周波ウェーブレット変換データＨ１、Ｈ２、Ｈ３のうちの最後の高周波ウェーブレット変換データＨ３とをメモリに格納する格納段階（Ｓ２０）と、格納段階（Ｓ２０）でメモリに格納された第１低周波ウェーブレット変換データＬ３と最後の高周波ウェーブレット変換データＨ３とについて第１ウェーブレット変換段階（Ｓ１０）で行った方向と異なる方向に基準ウェーブレット変換回数だけウェーブレット変換し、低周波帯域である一つの第２低周波ウェーブレット変換データＬＬ３と高周波帯域である多数の第２高周波ウェーブレット変換データＨＨ１、ＬＨ１、ＨＨ２、ＬＨ２、ＨＨ３、ＬＨ３、ＨＬ３とを出力する第２ウェーブレット変換段階（Ｓ３０）と、第１ウェーブレット変換段階（Ｓ１０）での最後の第１高周波ウェーブレット変換データＨ３を除いた第１高周波ウェーブレット変換データＨ１、Ｈ２と、第２ウェーブレット変換段階（Ｓ３０）で出力されるところの、第２低周波ウェーブレット変換データＬＬ３と、第２高周波ウェーブレット変換データＨＨ１、ＬＨ１、ＨＨ２、ＬＨ２、ＨＨ３、ＬＨ３、ＨＬ３とについての量子化データを出力する量子化段階（Ｓ４０）と、量子化段階（Ｓ４０）の出力である量子化データを受信し、ハフマンコーディングまたは算術コーディング方法によって圧縮されたデータを出力するエントロピーエンコーディング段階（Ｓ５０）とから構成される。
【００１３】
上記の構成による本発明のウェーブレット変換を利用した映像圧縮方法の動作は次の通りである。
【００１４】
図５（ａ）〜（ｅ）から図６（ａ）〜（ｂ）は、本発明に従って、基準ウェーブレット変換回数が３回である場合にウェーブレット変換でもって分割される過程を示す変換状態図である。
【００１５】
第１ウェーブレット変換段階（Ｓ１０）は、図３（ａ）に示された映像データＩＤについて行方向に使用者によって定められた基準ウェーブレット変換回数である３回だけウェーブレット変換し、低周波帯域である第１低周波ウェーブレット変換データＬ３と高周波帯域である３個領域の第１高周波ウェーブレット変換データＨ１、Ｈ２、Ｈ３とに分割して出力する。つまり、図５（ａ）に示されているように、映像データを行方向についてウェーブレット変換すれば、映像データは低周波帯域である一番目の低周波ウェーブレットデータＬ１と高周波帯域である一番目の高周波ウェーブレットデータＨ１とに分割される。一番目の第１低周波ウェーブレットデータＬ１について再び行方向にウェーブレット変換をすれば、図５（ｂ）に示されているように、二番目の低周波ウェーブレットデータＬ２と高周波帯域である二番目の高周波ウェーブレットデータＨ２とに分割され、再び二番目の低周波ウェーブレットデータＬ２について行方向にウェーブレット変換させれば、図５（ｃ）に示されているように、三番目の低周波ウェーブレットデータＬ３と高周波帯域である三番目の高周波ウェーブレットデータＨ３とに分割される。基準ウェーブレット変換回数である３回に達しているので、映像データに対する行方向のウェーブレット変換を終了する。
【００１６】
格納段階（Ｓ２０）は、第１ウェーブレット変換段階（Ｓ１０）で出力された三番目の低周波ウェーブレット変換データＬ３と高周波ウェーブレット変換データＨ１、Ｈ２、Ｈ３のうちの三番目の高周波ウェーブレット変換データＨ３とをメモリに格納する。
【００１７】
第２ウェーブレット変換段階（Ｓ３０）は、格納段階（Ｓ２０）でメモリに格納された第１低周波ウェーブレット変換データＬ３と最後の第１高周波ウェーブレット変換データＨ３とについて第１ウェーブレット変換段階（Ｓ１０）で行った方向と異なる方向である列方向に基準ウェーブレット変換回数だけウェーブレット変換し、低周波帯域である一つの第２低周波ウェーブレット変換データＬＬ３と高周波帯域である多数の第２高周波ウェーブレット変換データＨＨ１、ＬＨ１、ＨＨ２、ＬＨ２、ＨＨ３、ＬＨ３、ＨＬ３とを出力する。つまり、図５（ｄ）に示されているように、三番目のウェーブレット変換データＬ３と最後のウェーブレット変換時に出力された行方向の三番目の高周波ウェーブレット変換データＨ３とについて列方向にウェーブレット変換し、高周波帯域の対角線エッジ（ｅｄｇｅ）成分を示す第１ウェーブレット映像データＨＨ１、高周波帯域の水平信号エッジ成分を示す第２ウェーブレット映像データＬＨ１、高周波帯域の垂直信号エッジ成分を示す第３ウェーブレット映像データＨＬ１及びエッジ成分のない低周波帯域を示す第４ウェーブレット映像データＬＬ１に分割する。再び図６（ａ）に示されているように、第３ウェーブレット映像データＨＬ１及び第４ウェーブレット映像データＬＬ１について列方向にウェーブレット変換し、前記と同様に高周波帯域の対角線エッジ成分を示す第５ウェーブレット映像データＨＨ２、高周波帯域の水平信号エッジ成分を示す第６ウェーブレット映像データＬＨ２、高周波帯域の垂直信号エッジ成分を示す第７ウェーブレット映像データＨＬ２及びエッジ成分のない低周波帯域を示す第８ウェーブレット映像データＬＬ２に分割させ、再び第７ウェーブレット映像データＨＬ２及び第８ウェーブレット映像データＬＬ２について列方向にウェーブレット変換させれば、図６（ｂ）に示されているように、高周波帯域の対角線エッジ成分を示す第９ウェーブレット映像データＨＨ３、高周波帯域の水平信号エッジ成分を示す第１０ウェーブレット映像データＬＨ３、高周波帯域の垂直信号エッジ成分を示す第１１ウェーブレット映像データＨＬ３及びエッジ成分のない低周波帯域を示す第１２ウェーブレット映像データＬＬ３に分割される。基準ウェーブレット変換回数である３回であるので、列方向のウェーブレット変換を終了する。
【００１８】
上記の実施例では、まず行方向についてウェーブレット変換した後、列方向についてウェーブレット変換をしたが、まず列方向についてウェーブレット変換してから行方向についてウェーブレット変換してもその結果は同一である。
【００１９】
映像圧縮時に高周波帯域は低周波帯域に比べて圧縮率や画質面で大きい影響を与えないので、上記したように映像データについて、引き続き行方向についてウェーブレット変換し、行方向にウェーブレット変換された低周波帯域Ｌ３と高周波帯域Ｈ３のみについて列方向にウェーブレット変換をしても映像圧縮結果は大きく変化しない。
【００２０】
量子化段階（Ｓ４０）は、第１ウェーブレット変換段階（Ｓ１０）の出力である一番目の高周波ウェーブレットデータＨ１及び二番目の高周波ウェーブレットデータＨ２と、第２ウェーブレット変換段階（Ｓ３０）の出力である高周波帯域の第１ウェーブレット映像データＨＨ１、第２ウェーブレット映像データＬＨ１、第５ウェーブレット映像データＨＨ２、第６ウェーブレット映像データＬＨ２、第９ウェーブレット映像データＨＨ３、第１０ウェーブレット映像データＬＨ３、第１１ウェーブレット映像データＨＬ３及びエッジ成分のない低周波帯域を示す第１２ウェーブレット映像データＬＬ３とについての量子化データを出力する。エントロピーエンコーディング段階（Ｓ５０）は、量子化段階（Ｓ４０）の出力である量子化データを受信し、ハフマンコーディングまたは算術コーディング方法によって圧縮されたデータを出力する。
【００２１】
【発明の効果】
本発明のウェーブレット変換を利用した映像圧縮方法は、基準ウェーブレット変換回数だけ行方向または列方向のいずれか一方向についてウェーブレット変換を遂行した後、ウェーブレット変換データのうちの低周波帯域のウェーブレット変換データのみをメモリに格納し、メモリに格納された低周波帯域のウェーブレット変換データについて、他の一方向について基準ウェーブレット変換回数だけウェーブレット変換を遂行することによって、ウェーブレット変換時にウェーブレット演算に必要な計算量が少なくて短時間内にウェーブレット変換を遂行することができ、ウェーブレット変換のための回路のサイズを小さく作ることができ、メモリに格納されるデータの量を小さくすることができ、メモリとのデータ交換を減らすことができて電力消耗を減少させることができる。
【図面の簡単な説明】
【図１】一般的な映像圧縮装置の構成図。
【図２】従来のウェーブレット変換を利用した映像圧縮方法のフローチャート。
【図３】（ａ）〜（ｄ）は、従来のウェーブレット変換によって分割した映像の状態を示す変換状態図。
【図４】本発明のウェーブレット変換を利用した映像圧縮方法のフローチャート。
【図５】（ａ）〜（ｅ）は本発明に従ってウェーブレット変換で分割された過程を示す変換状態図。
【図６】（ａ）〜（ｂ）は本発明に従ってウェーブレット変換で分割された過程を示す変換状態図。
【符号の説明】
ＩＤ：映像データ
Ｌ３：第１低周波ウェーブレット変換データ
Ｈ１、Ｈ２、Ｈ３：第１高周波ウェーブレット変換データ
ＬＬ３：第２低周波ウェーブレット変換データ
ＨＨ１、ＨＨ２、ＨＨ３、ＨＬ３、ＬＨ１、ＬＨ２、ＬＨ３：第２高周波ウェーブレット変換データ
Ｓ１０：第１ウェーブレット変換段階
Ｓ２０：格納段階
Ｓ３０：第２ウェーブレット変換段階
Ｓ４０：量子化段階
Ｓ５０：エントロピーエンコーディング段階
【図１】
2004215221.tif 000003
【図２】
2004215221.tif 000004
【図３】
2004215221.tif 000005
【図４】
2004215221.tif 000006
【図５】
2004215221.tif 000007
【図６】
2004215221.tif 000008